(57)【要約】【課題】育苗器を不要にし省力してマット苗を育成し、コストの低減を図る。【解決手段】圃場の表面に無数の通水孔のあるシート（２）を敷設する第１工程と、シート（２）上を所定間隔毎に区分するように仕切材（３，…）を載置する第２工程と、仕切材（３，…）で区分された部分に床土を供給して播種する第３工程と、圃場に水を供給しシート（２）の通水孔を通して圃場上面から床土底面に灌水する第４工程により、苗を育苗する。前記構成によると、第１工程、第２工程、第３工程及び第４工程を実行することにより、育苗器を用いることなく、圃場（１）上面から床土底面に灌水し省力しながらマット苗を育苗することができる。【選択図】図１
2008283940.tif 000002
【特許請求の範囲】
【請求項１】
圃場（１）の表面に無数の通水孔のあるシート（２）を敷設する第１工程と、前記シート（２）上を所定間隔毎に区分するように仕切材（３，…）を載置する第２工程と、前記仕切材（３，…）で区分されたところに床土を供給して播種する第３工程と、圃場（１）に水を供給し前記シート（２）の通水孔を通して圃場（１）上面から床土底面に灌水する第４工程からなる育苗方法。
【発明の詳細な説明】
【技術分野】
【０００１】
本発明は、育苗器を使用せずに圃場を利用してマット苗を育苗する育苗方法に関する。
【背景技術】
【０００２】
苗を育苗する育苗器において、側壁に排水孔を設け、底板に側壁の排水孔に向けて下りの傾斜面を設け、育苗器内の排水を容易にして苗の成育むらを防止するようにしたものは公知である（特許文献１）
【特許文献１】特開平１０−２５７８２６号公報
【発明の開示】
【発明が解決しようとする課題】
【０００３】
本発明は、育苗器を使用せずに省力しながらマット苗を育苗しようとするものであるである。
【課題を解決するための手段】
【０００４】
請求項１の発明は、圃場（１）の表面に無数の通水孔のあるシート（２）を敷設する第１工程と、前記シート（２）上を所定間隔毎に区分するように仕切材（３，…）を載置する第２工程と、前記仕切材（３，…）で区分されたところに床土を供給して播種する第３工程と、圃場（１）に水を供給し前記シート（２）の通水孔を通して圃場（１）上面から床土底面に灌水する第４工程からなる育苗方法とする。
【０００５】
前記構成によると、第１工程、第２工程、第３工程及び第４工程を実行することにより、育苗器を用いることなく、圃場（１）上面から床土底面に灌水し省力しながらマット苗を育苗することができる。
【発明の効果】
【０００６】
請求項１の発明は、従来の育苗器を不要にし省力しながら育苗コストの低減を図ることができる。
【発明を実施するための最良の形態】
【０００７】
以下図面に基づき本発明の実施形態について説明する。
この発明は、育苗箱を使用しないで水稲用の育苗苗を作るものである。
まず、図１（Ａ）に示すように、圃場１の表面を代掻きロータリ（図示省略）により代掻きし均平にする。次いで、圃場表面が乾燥したら、図１（Ｂ）に示すようにに示すように、圃場１に所定間隔毎に前後方向に長い溝部１ａ，…を形成し育苗ベッド１ｂ，…を形成する。次いで、図１（Ｃ）に示すように、育苗ベッド１ｂ，…に無数の小孔の開いているビニールシート２，…を敷く。次いで、図１（Ｄ）に示すように、育苗ベッド１ｂ，…に水稲用育苗箱のマット苗寸法（例えば短い２８０ミリあるいは長い５８０ミリ）を形成するように、例えば樹脂枠体３，…を前後方向に配置し、苗床用凹溝１ｃ，…を構成する。次いで、図１（Ｅ）に示すように、苗床用凹溝１ｃ，…に乾燥した肥料入りの床土を所定厚さ入れ、床土部１ｄ，…を作る。次いで、この床土部１ｄ，…に種籾を播種した後に、圃場１の前記溝部１ａ，…に貯水して育苗ベッド１ｂ，…に灌水し、圃場表面からビニールシート２の小孔を経由して床土部１ｄ，…に吸水し、床土部１ｄ，…の表面に覆土し、その上側に例えばビニールシート（図示省略）で被覆し乾燥を防止し保温しながら育苗し、例えば、２８０ミリ幅の前後方向に長いマット苗を造る。そして、このマット苗を所定長さに切断し、田植機の苗載せ台に装填し植え付けていく。
【０００８】
また、図１（Ｅ）に示すように、苗床用凹溝１ｃ，…に乾燥した肥料入りの床土を所定厚さ入れて床土部１ｄ，…を形成するにあたり、圃場１の土から次のようにして、床土及び覆土用土を造ってもよい。水田土壌の表層を所定厚さ掻き取り必要量の土を確保する。次いで、掻き取った表土を一箇所にまとめ、ロータリ耕耘装置（図示省略）により砕土し、次いで乾燥し床土を製造する。次いで、例えば、５ミリの篩で選別し、次いで、３ミリの篩で選別する。次いで、図１（Ｅ）に示すように、苗床用凹溝１ｃ，…に３ミリ以下の細かい土を入れて床土部１ｄ，…を形成し、播種した後に３〜５ミリの土を覆土する。前記のようにすると、通常の圃場の土を用いてマット苗を安く造ることができる。
【０００９】
なお、圃場の土を利用して図１に示すようにマット苗を造るにあたり、土が粘土質の場合には、播種し、覆土６した後に覆土６には灌水せずに、育苗ベッド１ｂ，…、ビニールシート２の小孔を経て床土部１ｄの底面から吸水し、発芽させるのがよい。覆土後に覆土６に灌水すると、粘土質の強い土であると、覆土６の表面が固まり、酸素不足による発芽障害が生じる。しかし、床土部１ｄの底面からの吸水であると、このような不具合を防止することができる。
【００１０】
また、図２に示すように、前記樹脂枠体３，…の上部に凹溝３ａを構成すると、播種機４の左右車輪４ａ，４ａを乗せて前後方向に移動させて、床土部１ｄに楽に播種することができる。
【００１１】
また、図３に示すように、樹脂枠体３，…の凹溝３ａ，…に覆土用枠体５，…の下部凸条５ａを嵌合し、床土部１ｄの表面から所定高さ上方に覆土用枠体５，…の上側面が位置するように構成する。しかして、播種した床土部１ｄの上面に覆土用枠体５，…の上側面にそろえるように覆土６することにより、覆土６の厚さを揃えることができ、種籾の発芽を均等化し所定厚さのマット苗を作ることができる。
【００１２】
また、図４に示すように、樹脂枠体３，…の凹溝３ａ，…に覆土用枠体５，…の下部凸条５ａを嵌合し、覆土用枠体５，…の上側面あるいは左右側面に、長さ表示付きの目盛５ｂ，…を設けると、完成したマット苗を田植機の苗載せ台の長さに合わせて切断する際の目安になり、作業能率を高めることができる。
【００１３】
また、目盛５ｂ，…に代えて、覆土用枠体５，…の左右両側部に上下方向の切欠き部を所定間隔毎に構成してもよい。このように構成すると、切断刃体を切欠き部に沿ってマット苗に切り込むことにより、マット苗の両端部まで円滑に切断することができる。
【００１４】
次に、図５に基づき箱状播種体１１について説明する。
上面を開放した長方形の箱状播種体１１の底板１１ａ中央部には、左右方向及び前後方向に所定間隔隔てて播種孔１２，…を設けている。また、箱状播種体１１の底板１１ａの上面には、前記播種孔１２，…と同じピッチで播種孔１３ａ，…の設けられている播種板１３を移動自在に接合状態に設けて、底板１１ａの大きな播種孔１２，…と播種板１３の小さな播種孔１３ａ，…を合致する状態と合致しない状態とに変更できるように構成し、箱状播種体１１と播種板１３との間にはバネ１６，１６を介装し、底板１１ａの播種孔１２，…と播種板１３の播種孔１３ａ，…とを合致しない状態に押圧付勢している。
【００１５】
また、箱状播種体１１の角部の隣接する側板１１ｂ，…を、すき間１４，１４を開けて補強板１５，１５で連結するにあたり、すき間１４，１４を大小の二種類に構成している。なお、箱状播種体１１に大小のすき間１４，１４を開けて補強板１５を連結するにあたり、バネ１６，１６を介装した取っ手１８の反対側のだけ設けるようにしてもよい。
【００１６】
しかして、播種板１３の小さな播種孔１３ａ，…にコーティングした種子を入れ、補強板１５，１５の設けられている播種孔の構成されていない左右一側に余分の種子を移動する。次いで、バネ１６，１６に抗して播種板１３を移動し、底板１１ａの大きな播種孔１２，…に小さな播種孔１３ａ，…を合致させて、育苗箱の床土に播種する。そして、余分の種子を大小のすき間１４，１４から容器１７ａ，１７ｂに回収する。
【００１７】
従来の箱状播種体の角部には、特公平７−１１０１６７号公報に示すように、同じ大きさのすき間が補強板により構成されていたので、余った種子を大小の容器に戻しにくいという不具合があった。しかし、前記構成によると、箱状播種体１１の角部の隣接する側板１１ｂ，…間を、大小の異なるすき間１４，１４を開けて補強板１５，１５で連結したので、箱状播種体１１の変形を防止しながら余った種子を大小のすき間１４，１４を利用して、大小の容器１７ａ，１７ａに容易に戻すことができる。
【００１８】
次に、図６乃至図１１に基づき育苗箱に播種する播種装置について説明する。
播種フレーム２１には苗箱２２，…を搬送する搬送コンベヤ２３を設け、搬送コンベヤ２３の上手側から下手側に向けて施肥装置２４、床土供給装置２５、播種装置２６、施薬装置２７、覆土装置２８をそれぞれ配設している。
【００１９】
播種装置２６は、図７に示すように、播種ホッパ２６ａの下部には調節板２６ｂを設けて、種子を所定量ずつ流下口に繰り出し、反時計方向に回転する播種ロール２６ｃの凹溝に種子を取り込み、播種ロール２６ｃの表面に付着した余分の種子を第１ブラシ２６ｄにより落下させるように構成している。そして、種子ロール２６ｃの上部には回転ブラシ２６ｅをバネにより弾圧的に圧接し、種子ロール２６ｃの凹溝からあふれた種子を除去して、種子収容タンク２６ｆに回収し、種子ロール２６ｃの下方に回転した凹溝から搬送中の苗箱２２の床土に播種するように構成している。また、播種ロール２６ｃの播種位置から種子取り込み位置までの間に、固定状の落下ブラシ２６ｇを設け、播種できなかった種子を苗箱２２の床土上に掻き落とし、播種精度の向上と湿った種子の播種精度の向上を図っている。
【００２０】
また、図８に示すように、播種ロール２６ｃの播種位置から種子取り込み位置までの間に、回転する落下ブラシ２６ｇを設け、播種ロール２６ｃの外周部に落下ブラシ２６ｇの外周部を接触させて、播種ロール２６ｃにより落下ブラシ２６ｇを回転させながら播種残りの種子を落下するように構成してもよい。
【００２１】
また、図９に示すように構成してもよい。播種ロール２６ｃを中空状に構成して内部に例えば球体３９を入れ、播種ロール２６ｃの内部に持ち上げ板２６ｈを設け、回転しながら持ち上げ板３９により球体３９を上方に持ち上げて落下させて振動させ、播種ロール２６ｃの凹溝に残っている種子を落下させても、前記と同様の効果が期待できる。
【００２２】
また、図１０に示すように構成してもよい。播種ロール２６ｃを中空状に構成して中に複数の球体３９，…を入れ、播種ロール２６ｃの内部を所定間隔毎に仕切るように複数の持ち上げ板２６ｈ，…を設ける。そして、この持ち上げ板２６ｈ，…の突出長さや先端の屈曲具合をそれぞれ異なるように構成し、回転時に持ち上げ板３９，…により球体３９，…を持ち上げて異なるタイミングで落下振動させ、播種ロール２６ｃの凹に残っている種子を落下させるようにしても、前記と同様の効果が期待できる。
【００２３】
また、図１１に示すように構成してもよい。播種ロール２６ｃを中空状に構成し、播種ロール２６ｃの播種位置から種子取り込み位置までの間に、例えば、角ロール３０を回転可能に設け、角ロール３０の角部を播種ロール２６ｃの外周面に接触可能に配設する。前記構成によると、播種ロール２６ｃの種子嵌合用の凹溝が通過する毎に振動を与え、播種できなかった種子を苗箱２２の床土上に落下させることができる。
【００２４】
また、前記施肥装置２４の施肥ロール（図示省略）にも同様に角ロール３０を配設し、詰まった肥料を振動により落下するように構成してもよい。
次に、図１２〜図２２に基づき藺草やキク苗株を育苗器に挿す挿し機について説明する。
【００２５】
この苗挿し機は、図１２及び図１３に示すように、育苗器３１を載置して移送方向Ｒに向かって移送する育苗器移送装置Ａと、苗を支持する苗支持体４５が周回する苗供給装置Ｃと、この苗支持体４５内の苗を挟持して移動して前記育苗器移送装置Ａに配置された育苗器３１に苗を挿す苗挿し装置Ｂと、育苗器３１のセル３１ａ，…内の土に穴を開ける穴開け装置Ｄを備えている。
【００２６】
育苗器移送装置Ａには育苗器３１の左右幅と略同じ幅に一対の枠体３２，３２が設けられ、この一対の枠体３２，３２の両端部には駆動軸３４ｃ，３４ｃを軸架し、この駆動軸３４ｃ，３４ｃに固着された駆動プーリ３４ｂ，３４ｂが駆動用モータ（図示省略）により駆動される。この駆動プーリ３４ｂ，３４ｂの回転により、駆動プーリ３４ｂ，３４ｂに掛け渡された移送ベルト３３が移動し、移送ベルト３３上に載置された育苗器３１が移送方向Ｒに向けて移送される。なお、育苗器３１には苗を挿入できるセル３１ａ、…が多数（本実施形態では一列につき２０個）設けられている。
【００２７】
苗挿し装置Ｂに苗を供給する苗供給装置Ｃは、カップ形状の苗支持体４５を平面視で略長円形状に形成する苗供給装置枠体４６に沿って多数（本実施形態では把持具３５ａの４倍である４０個）を連続して数珠繋ぎに配置している。苗支持体４５を周回移動させる一対のスプロケット４７，４７は、苗供給装置枠体４６の両端部にそれぞれ設けられ、一方のスプロケット４７が駆動体となり、一対のスプロケット４７，４７間に掛け渡されたチエン（図示省略）の駆動により、他方のスプロケット４７も連動される。一対のスプロケット４７，４７が回動すると、苗支持体４５，…全体はスプロケット４７，４７の作用を受けて押され、苗供給装置枠体４６に沿って略長円形状の軌跡を描いて時計方向に周回移動する。また、前記平面視で略長円形状に複数配置された苗支持体４５，…の内側上方には供給する苗を載置する苗置き台３６が設けられている。
【００２８】
苗支持体４５，…は、図１４及び図１５に示すように、平面視円形状の上側苗支持部４５ａと、正面視五角形状で底部４５ｂを三角形状に形成し、且つ表面側に苗取り出し用開口部４５ｃを形成している受け体（下側苗支持部）４５ｄから構成されている。そして、上側苗支持部１５ａと受け体４５ｄとは多数の苗収容体１５，…を連結させる上下２枚のプレート５３ａ，５３ｂに、それぞれに２個ずつ形成する孔５３ｃ，５３ｄに挿入し、受け体４５ｄの上面に屈曲形成した取付部４５ｆを上側支持部４５ａに形成している溝部４５ｇに差し込み、連結環５４を受け体４５ｄの後部に挟み付けるように取り付け、受け体４５ｄの苗取り出し用開口部４５ｃが歪み等により開いて、受け体４５ｄが上側苗支持部４５ａから脱落するのを防止している。なお、前記プレート５３ａとプレート５３ｂとは上下が互い違いに重なる状態で、苗収容体４５を各孔５３ｃ，５３ｄに挿入することにより連結している。
【００２９】
なお、苗支持体４５を図２２に示すように構成してもよい。苗支持体４５の表面側に形成した苗取り出し用開口部４５ｃには、上下左右に４分割した屈曲変形自在の上側左右閉鎖板８１ａ，８１ｂ及び下側左右閉鎖板８１ｃ，８１ｄを閉鎖するように対向配置し、上側左右閉鎖板８１ａ，８１ｂの上側端部及び下側左右閉鎖板８１ｃ，８１ｄの下側端を取付具８２，…により固着する。前記構成によると、閉鎖板８１ａ，８１ｂ，８１ｃ，８１ｄにより苗支持体４５内の苗の落下を防止しながら、上側左右閉鎖板８１ａ，８１ｂの下側部及び下側左右閉鎖板８１ｃ，８１ｄの上側部が前後に屈曲変形し開口部４５ｃが開かれながら苗が取り出され、苗の供給精度を高めることができる。
【００３０】
また、苗支持体４５，…の平面視円形状の上側苗支持部４５ａを図２１に示すように構成してもよい。苗支持体４５，…の平面視円形状の上側苗支持部４５ａを、開口面積が上側のど順次大きくなるようにし、且つ、平面視で周回方向の左右外側に向けて延出するように構成する。前記構成によると、上側苗支持部４５ａの上部開口面積が大きくなり、苗の挿入が容易になる。
【００３１】
また、図１２の左半分に示すように、苗供給装置Ｃの一端は、育苗器３１の左右幅方向より側方に向けて突出して配置し、作業者Ｎが苗支持体４５，…に苗を投入する苗投入場所Ｍとなるスペースを形成している。そして、作業者Ｎが苗を投入する苗投入場所Ｍは、苗を把持具３５ａで把持する苗把持位置Ｆに隣接するスペースに設けている。
【００３２】
苗置き台３６の上面には苗挿し機の運転停止をする切替スイッチ５０を設け、苗投入場所Ｍの近傍には図示省略したが、電源スイッチ、リセットスイッチ、各種装置を作動するシーケンサー等を内蔵する操作盤や、苗供給装置Ｃの周回速度を作業者Ｎが足で調節するフートスイッチ等の作業者Ｎが操作する各種装置を集中的に配置し、作業者Ｎが苗収容体４５，…に苗を投入しながら苗挿し機を運転制御できるように構成している。
【００３３】
また、図１３に示すように、穴開け装置Ｄは、育苗器３１のセル３１ａ，…３１ａ，…に詰めている土に苗を挿し込むための穴を形成する穴開け装置であり、育苗器３１の長手方向に配置しているセル３１ａ，…の数（この実施形態では２０個）に対応して配置されたセル３１ａ，…と同じ数の穴開けピン５２ａ，…を取り付けている。穴開け装置Ｄで育苗器３１のセル３１ａ，…に詰めている土に苗を差し込むための穴を開けた後に、ベルト３３で育苗器３１が図１３の矢印Ｒ方向に移動するので、苗把持部３５でセル３１ａ，…内の土に苗を差し込むことができる。
【００３４】
苗挿し装置Ｂは、図１６に示すように、苗を保持するとき苗の茎を１本ずつ両側から把持する把持具３５ａ，…を多数備えている。なお、この実施形態では１０個の把持具３５ａ，…を並列して把持具プレート３５ｍに取り付けて把持部３５を形成することで、同時に１０本の苗を育苗器３１のセル３１ａ，…に苗挿しできるように構成している。
【００３５】
また、把持具３５ａは、ハンド開閉モータ４０により開閉する一対の苗把持ハンド３５ｃ，３５ｄと、それぞれ一体で横方向に移動するプレート３５ｄ，３５ｅと、このプレート３５ｄ，３５ｅにそれぞれ連結したアーム３５ｆ，３５ｇ等からなるリンク部材と、このリンク部材を介して作動させるハンド開閉カム３５ｊを備えている。このハンド開閉カム３５ｊはハンド開閉モータ４０の回転軸に固定されているので、ハンド開閉モータ４０が回転すると、リンク部材を介して一対の苗把持ハンド３５ｂ，３５ｃが開閉作動する。
【００３６】
把持部３５の把持具プレート３５ｍの裏面はアーム６３ｂの一端で支持され、アーム３３ｂの他端は横移動プレート３８上に配置された前後移動用モータ６３の回転軸に固定されたカム６３ａに取り付けられることにより、握持部３５は移送方向Ｒに沿った方向に前後移動可能に構成している。
【００３７】
横移動プレート３８にはアーム６３ｂの一端を取り付け、アーム６５ｂの他端を横支持プレート３９上に配置された横移動用モータ６５の回転軸に固定されたカム６５ａに取り付けられることで、横移動プレート３８は横支持プレート３９に沿って移送方向Ｒと交差する方向Ｓに沿って育苗器移送装置Ａの左右に移動可能に構成している。
【００３８】
また、図１７に示すように、前記左右移動用モータ６５の駆動により円形カム６５ａが回転すると、円形カム６５ａの周辺部に設けられた凹部５６ａ１，…に各一対の苗把持バンド３５ｂ、３５ｃの苗の把持位置検出用のリミットスイッチ６７の端子６７ａが入り込む構成となっている。そして、前記左右移動用モータ６５の駆動により横移動プレート３８が移動すると、握持部３５も移動する。横移動プレート３８の移動中はリミットスイッチ６７の端子６７ａはカム６５ａの外周面を摺動している。そして、端子６７ａがカム６５ａの凹部６５ａ１に嵌まると、左右移動モータ６５の駆動が停止し、横移動プレート３８及び苗把持部３５も停止する。
【００３９】
また、図１７に示すカム６５ａは等速回転する左右移動用モータ６５により一方向にフルに回転するのではなく、往復回動を繰り返す。図１７に示すように、カム６５ａには凹部６５ａ１，…が４５度の角度毎に４個設けられている。カム３５ａの１３５度の回転で、横移動プレート３８は育苗器１の一列分を４回で挿し木する横移動をする。従って、一対の苗把持ハンド３５ｂ，３５ｃが１０組設けられているので、これらの４回の作動で、１列のセル３１ａ，…に４０本の苗を挿す。このとき、苗把持ハンド３５ｂ，３５ｃが苗供給装置Ｃの苗支持体４５，…にある苗を把持する位置は、各苗挿し工程で変化しない。
【００４０】
次に、図１８及び図１９に基づき、育苗器移送装置Ａの移送する際の育苗器３１の移送位置検出装置について説明する。育苗器３１の側壁３１ａに位置検出プレート７１を装着している。この位置検出プレート７１は、断面Ｕ字型に屈曲構成し、この上端屈曲部に所定間隔毎に切り欠きした検出溝７１ａ，…を構成し、位置検出プレート７１を長手方向に沿った前後方向視で左右対称に構成し、左右どちらから見ても検出溝７１ａが上下同じ長さをしている。
【００４１】
また、枠体３２，３２の育苗器３１の移送経路の側方には、穴開け装置Ｄによる穴開け位置にある育苗器３１を検出するための穴開け位置検出用センサ７２と、苗挿し装置Ｂによる苗挿し位置にある育苗器３１を検出するための苗挿し位置検出用センサ７３を設けている。このセンサ７２，７３は、例えば金属を検出する光電式のセンサで、樹脂製の育苗器３１自体には反応せず、金属製である前記検出プレート７１の所定間隔毎の検出溝７１ａ，…により所定距離の移動を検出するように構成している。
【００４２】
しかして、育苗器３１のセル３１ａ，…に土詰めし、水に漬けた後に育苗器３１の側壁３１ａに位置検出プレート７１を嵌合装着し、育苗器移送装置Ａのベルト３３上に育苗器３１を載置し、移送位置を検出しながら間欠移送する。位置検出プレート７１を正面視Ｕ字型の左右対称状に構成しているので、位置検出プレート７１を前後どちら向きに装着しても位置検出をすることができ、育苗器３１の移送位置を正確に検出することができる。
【００４３】
次に、前記苗挿し機の作用について説明する。
操作盤の電源スイッチ、運転スイッチを押すと、苗挿し機の各部が作動を開始する。作業者Ｎは苗投入場所Ｍにいて、周回する苗収容体４５，…に１本ずつ苗を投入していく。苗収容体４５，…に収容された苗は矢印Ｔ方向に回転し、略１回転して苗把持位置Ｆまで周回する。そのとき、センサ（図示省略）はスプロケット４７，…の歯数をカウントしており、設定する歯数をカウントする毎に一時停止する。
【００４４】
一方、育苗器移送装置Ａのベルト３３上で育苗器３１が移送される。苗挿し装置Ｂと穴開け装置Ｄが育苗器３１内の土に作用する苗挿し位置にある。このような状態で、育苗器３１内の一列分のセル３１ａ，…内の土に穴開け装置Ｄにより穴を開け、次いで、苗挿し装置Ｂが苗をセル３１ａ，…内の穴に苗を植え付ける毎に、育苗器移送装置Ａが間欠的に前進する。
【００４５】
なお、育苗器移送装置Ａは左右移動用モータ６５が育苗器１の一列の全部のセル３１ａ，…内に同時に苗を植え付ける間は移動を停止し、一列分の全てのセル３１ａ，…内に２０個の苗の植え付けが終了すると、セル３１ａの１個分だけ前進する。
【００４６】
苗供給装置Ｃが苗把持位置で停止したら、苗把持具３５ａ，…がそれぞれ対向する苗収容体４５，…に収容する苗を取りに前進する。苗把持具３５ａが苗収容体４５，…の苗供給開口部４５ｅから苗を把持する位置まで進むと、開閉モータ４０が駆動されて苗を把持し、再度元の位置まで後進する。そして、苗を把持した苗把持具３５ａ，…は下降し、穴開け装置Ｄで開けた穴に苗の根元部を挿入する。
【００４７】
作業が終了したら、把持ハンド３５ｂ，３５ｃは苗を放して後進し、次いで上昇して元の位置に戻る。この苗挿し作業の工程中に次の工程で苗挿しする苗を供給するために、苗収容体４５，…が設定したスプロケット４７の回転数分周回する。
【００４８】
また、苗供給装置Ｃを図２０のように構成してもよい。苗供給装置Ｃから苗挿し装置Ｂに苗を供給する際に失敗した苗を、左右落下案内板７６，７６で受けて回収コンベヤ７７に案内し、回収コンベヤ７７の終端側を苗置き台３６の切欠き穴３６ａを通して苗投入場所Ｍに搬送し回収するように構成する。前記構成によると、供給途中に落下した苗をオペレータは拾う必要がなく、作業能率を高めることができる。
【図面の簡単な説明】
【００４９】
【図１】苗床の製造工程を示す圃場の断面図
【図２】圃場の断面図
【図３】圃場の断面図
【図４】苗床の斜視図
【図５】育苗器の平面図、側面図
【図６】播種装置の斜視図
【図７】播種装置の側面図
【図８】播種装置の側面図
【図９】播種装置の側面図
【図１０】播種装置の側面図
【図１１】播種装置の側面図
【図１２】苗挿し機の平面図
【図１３】苗挿し機の側面図
【図１４】苗支持体の斜視図
【図１５】苗支持体の斜視図
【図１６】苗挿し機の斜視図
【図１７】円形カムの平面図
【図１８】育苗器の移送装置の斜視図
【図１９】育苗器の斜視図
【図２０】苗供給装置の斜視図
【図２１】苗供給装置の斜視図
【図２２】苗供給装置の斜視図
【符号の説明】
【００５０】
１      圃場
２      シート
３      仕切材
【図１】
2008283940.tif 000003
【図２】
2008283940.tif 000004
【図３】
2008283940.tif 000005
【図４】
2008283940.tif 000006
【図５】
2008283940.tif 000007
【図６】
2008283940.tif 000008
【図７】
2008283940.tif 000009
【図８】
2008283940.tif 000010
【図９】
2008283940.tif 000011
【図１０】
2008283940.tif 000012
【図１１】
2008283940.tif 000013
【図１２】
2008283940.tif 000014
【図１３】
2008283940.tif 000015
【図１４】
2008283940.tif 000016
【図１５】
2008283940.tif 000017
【図１６】
2008283940.tif 000018
【図１７】
2008283940.tif 000019
【図１８】
2008283940.tif 000020
【図１９】
2008283940.tif 000021
【図２０】
2008283940.tif 000022
【図２１】
2008283940.tif 000023
【図２２】
2008283940.tif 000024